(57)【要約】      （修正有）【課題】漏水等の品質低下を招くことなく、製造コストを低減できるトラップ装置を提供する。【解決手段】トラップ装置は、湯水の流れ方向に平行な面を基準に２分割された流路形成部材２、３で構成されている。この２つの流路形成部材２、３は、合致させた状態で溶着によって接合されるもので、この状態で洗い場側接続口６と浴槽側接続口５と排水側流路７と連結流路８と封水部１０のそれぞれが形成される。【選択図】図２
2012172387.tif 000002
【特許請求の範囲】
【請求項１】
浴槽側に接続される浴槽側接続口と、洗い場側に接続される洗い場側接続口と、浴槽側接続口と洗い場側接続口とを結ぶ連結流路と、浴槽及び洗い場から排出される湯水を排水する排水側流路と、前記連結流路の中途に配された封水部とを有するトラップ装置であって、
湯水の流れ方向に平行な面を基準に２分割された流路形成部材を有し、当該流路形成部材同士を合致させた状態で、洗い場側接続口と浴槽側接続口と排水側流路と連結流路と封水部のそれぞれが形成されるものであって、
流路形成部材同士は、合致した状態で溶着によって接合されていることを特徴とするトラップ装置。
【発明の詳細な説明】
【技術分野】
【０００１】
本発明は、浴槽側及び洗い場側から排出される湯水を外部に排水するトラップ装置に関するものである。
【背景技術】
【０００２】
浴室や台所等の所謂水回りには、排水設備が備えられており、水回りにおいて発生した使用済みの湯水は、その排水設備を介して、外部の下水配管等に排水される。特に、浴室においては、浴槽と洗い場の別々の場所において発生した使用済みの水（具体的には、浴槽に溜められた湯水や洗い場における流し湯等）を合理的に排水するため、従来より、床下において浴槽側と洗い場側の双方から排出される湯水を合流させて排水できる排水構造が採用されている。
【０００３】
また、この種の排水設備は、一般的に、浴槽や洗い場において排水された湯水を封水し、下水側の臭気や害虫等の進入を阻止可能なトラップ装置と、洗い場あるいは浴槽において排水された湯水をトラップ装置側に流す排水配管とで構成されている（例えば特許文献１）。
【０００４】
そして、トラップ装置は、排水配管と一体的に接続される主トラップ部材と、主トラップ部材の湯水導入口側に一体的に接着されるヘリサート部材と、ヘリサート部材に脱着可能に取り付けられ主トラップ部材と封水部を形成する副トラップ部材等によって構成されている。
【０００５】
ところで、従来技術の排水設備においては、排水配管と、主トラップ部材と、ヘリサート部材の３部材を、通常、浴室の床下に配置させる前に一体的に組み立てる。即ち、施工現場あるいは工場において、予めこの３部材を一体的に接続した複合体を形成しておき、その複合体を浴室の床下に取り付ける。より具体的に言えば、従来技術においては、排水配管と、主トラップ部材と、ヘリサート部材の３部材を予め別々に成形しておき、浴槽や洗い場に取り付ける前に、接着剤等を用いて一体的に接続して複合体を形成する方法がとられている。
【先行技術文献】
【特許文献】
【０００６】
【特許文献１】特開２００１−１８２１１８号公報
【発明の概要】
【発明が解決しようとする課題】
【０００７】
しかしながら、従来技術では、複合体の製造において、前記３部材のそれぞれに成形金型を用意する必要があったり、さらに各部材を接着剤で接続する接続工程を複数回行う必要があっため、製造コストが嵩んでしまう不満があった。
【０００８】
また、接続工程に関して付言すると、接着剤による管部材の接続は、接着具合のばらつきにより、漏水を生じさせる懸念があるため、入念な漏水検査等が必要となり、さらなるコストの増加の要因となっていた。
【０００９】
そこで、本発明では、漏水等の品質低下を招くことなく、製造コストを低減できるトラップ装置を提供することを課題とする。
【課題を解決するための手段】
【００１０】
上記課題を解決するため、請求項１に記載の発明は、浴槽側に接続される浴槽側接続口と、洗い場側に接続される洗い場側接続口と、浴槽側接続口と洗い場側接続口とを結ぶ連結流路と、浴槽及び洗い場から排出される湯水を排水する排水側流路と、前記連結流路の中途に配された封水部とを有するトラップ装置であって、湯水の流れ方向に平行な面を基準に２分割された流路形成部材を有し、当該流路形成部材同士を合致させた状態で、洗い場側接続口と浴槽側接続口と排水側流路と連結流路と封水部のそれぞれが形成されるものであって、流路形成部材同士は、合致した状態で溶着によって接合されていることを特徴とするトラップ装置である。
【００１１】
本発明のトラップ装置は、湯水の流れ方向に平行な面を基準に２分割された流路形成部材を有し、その流路形成部材同士を合致させて形成した構成とされている。即ち、本発明では、従来技術のように別々の成形金型で排水配管や主トラップ部材等を成形する必要がなく、同一の成形金型で前記排水配管と主トラップ部材にあたる部分を一体的に成形することができる。
【００１２】
さらに、本発明では、合致させた流路形成部材同士を溶着によって接合しているため、接着剤を用いる場合に比べると、部材同士を短時間に一体化できる上、接着具合のばらつきが発生し難い。
【００１３】
また、本発明においては、例えば、主トラップ部材に接着されるヘリサート部材を、流路形成部材に含まれるように成形することもできるため、従来技術に言う主トラップ部材と、排水配管と、ヘリサート部材の３部材を一体的に成形することができる。
【００１４】
以上により、本発明のトラップ装置は、従来技術とほぼ同様の構造を確保しつつ、成形すべき部品点数を減らすことができるため、実質的に製造コストの減縮を図ることができる。さらに、部材同士を溶着によって接続することで、高品質のものを短時間に製造できるため、生産性を向上させることができる。
【００１５】
なお、溶着には、公知技術の振動溶着や高周波溶着等が挙げられる。
【発明の効果】
【００１６】
本発明のトラップ装置では、湯水の流れ方向に平行な面を基準に２分割された流路形成部材を合致させて形成されているため、従来より成形すべき部品点数が少ない。さらに、合致させた流路形成部材同士は、溶着によって接続されているため、接着具合にばらつきが発生し難く、作業効率が高い。これにより、品質低下を招くことなく、製造コストを減縮したトラップ装置を提供することができる。
【図面の簡単な説明】
【００１７】
【図１】本発明の実施形態に係るトラップ装置を浴槽及び洗い場の床面に取り付けた状態を示す断面図である。
【図２】図１のトラップ装置の複合部材を示す斜視図である。
【図３】図２の複合部材の一方の流路形成部材を概念的に示すＥ方向矢視図である。
【図４】流路形成部材の概念的な断面図であり、（ａ）は図２のＡ−Ａ断面図で、（ｂ）は図２のＢ−Ｂ断面図で、（ｃ）は図２のＣ−Ｃ断面図で、（ｄ）は図２のＤ−Ｄ断面図である。
【発明を実施するための形態】
【００１８】
以下に、本実施形態に係るトラップ装置１について説明する。なお、以下の説明においては、上下左右の方向は、特に断りがない限り、トラップ装置１の通常の設置状態を基準に説明する。
【００１９】
トラップ装置１は、浴室の床下に配され、浴槽側から排出される湯水と、洗い場側から排出される湯水を外部の下水配管等に排水するものである。
【００２０】
本実施形態のトラップ装置１は、図１に示すように、複合部材４と、取付部材２５及び補助部材２６によって構成されている。
【００２１】
複合部材４は、２つの流路形成部材２、３（図２）を一体的に接合させた部材であり、浴槽の排水用開口２７に接続される浴槽側接続口５と、洗い場の排水用開口２８に接続される洗い場側接続口６と、浴槽側接続口５と洗い場側接続口６とを結ぶ連結流路８と、連結流路８の中途に設けられた封水部１０と、下水配管等に案内する排水側流路７を有する部材である。
【００２２】
各部分について具体的に説明すると、浴槽側接続口５及び洗い場側接続口６は、上方に開口した開口部である。そして、図１に示すように、浴槽側接続口５の開口径は浴槽の排水用開口２７の開口径とほぼ同じ径に設定され、洗い場側接続口６の開口径は洗い場の排水用開口２８の開口径とほぼ同じ径に設定されている。また、浴槽側接続口５と洗い場側接続口６には共に、内壁の周方向に雌ネジ部２４、２５（図２）が形成されている。
【００２３】
連結流路８は、湯水の流れ方向に沿った方向の断面形状がほぼ凹状であり、図１に示すように、浴槽側接続口５から下方に延びた浴槽側垂直流路部２０と、洗い場側接続口６から下方に延びた洗い場側垂直流路部２１と、浴槽側垂直流路部２０の下端部と洗い場側垂直流路部２１の下端部を直線状に繋いだ接続流路部２２によって構成されている。そして、接続流路部２２は、浴槽側から洗い場側に向かって若干下り勾配に設定されている。
【００２４】
また、洗い場側垂直流路２１には、接続流路部２２と対向する位置に排水側流路７が接合されており、その接続部から下流に向かって若干下り勾配に設定されている。
【００２５】
従って、連結流路８においては、浴槽側接続部５から導入された湯水は洗い場側に向かって流れて排水側流路７に導入され、洗い場側接続部６から導入された湯水は浴槽側に向かうことなく排水側流路７に導入される。
【００２６】
封水部１０は、洗い場側接続口６のほぼ直下に位置し、洗い場側垂直流路２１のほぼ中央に位置する有底状の円筒部分である。具体的には、封水部１０は、洗い場側垂直流路２１の内径より小さい径の円筒壁２３が、洗い場側垂直流路２１の底部から立設するように設けられて形成されている。より詳しく言えば、円筒壁２３の接続流路部２２側には、接続流路部２２と連通した連通孔２９が設けられている。即ち、湯水が封水部１０に導入されると、まず円筒壁２３の内側に溜められる。その後、継続した湯水の導入があれば、円筒壁２３の突端部を越境した湯水が順次、排水側流路７に排出される。なお、封水部１０に一旦湯水が溜められると、人工的に排出しない限り、封止状態が維持される。
【００２７】
取付部材２５は、従来のそれと同様の部材であり、複合部材４を浴室の床下に固定するためのもので、浴槽側取付部材４０と洗い場側取付部材４１がある。即ち、浴槽側取付部材４０は、浴槽の排水用開口２７を介して、浴槽の内側から複合部材４の浴槽側接続口５に接続されるもので、洗い場側取付部材４１は、洗い場の排水用開口２８を介して、洗い場の内側から複合部材４の洗い場側接続口６に接続されるものである。
【００２８】
補助部材２６は、複合部材４の封水部１０と対になる円筒体であり、外径が封水部１０を形成する円筒壁２３の内径より小さい部材である。即ち、封水部１０の内部に補助部材２６が配されることで、封水部１０の流路形状を「Ｓ」字状にすることができる。即ち、洗い場側接続口６から導入された湯水は、まず補助部材２６の内側に流入し、封水部１０の底部側で補助部材２６と円筒壁２３との間に流れ込む。そして、補助部材２６と円筒壁２３との間を上方に向かって流れ、排水側流路７に導入される。また、浴槽側接続口５から導入された湯水は、ほぼ直接的に補助部材２６と円筒壁２３との間に流入されて、補助部材２６と円筒壁２３との間を上方に向かって流れ、排水側流路７に導入される。このように、補助部材２６を備えることで、湯水の滞留効果を高めることができるため、封水効果が高まる。
【００２９】
次に、本実施形態の特徴的構成たる２つの流路形成部材２、３について説明する。
【００３０】
本実施形態における２つの流路形成部材２、３は、熱可塑性樹脂であり、トラップ装置１を湯水の流れ方向に平行な面を基準に、複合部材４を均等に２分割し、互いに鏡像の関係にある部材である。そのため以下においては、２つの流路形成部材２、３のうち、一方を説明して、他方の説明を省略する。
【００３１】
流路形成部材２は、図３に示すように、流路方向に連続した１つの部材により構成されており、浴槽側接続口５の一部を形成する浴槽側開口形成部３０と、洗い場側接続口６の一部を形成する洗い場側開口形成部３１と、連結流路８の一部を形成する連結流路形成部３２と、封水部１０の一部を形成する封水形成部３３と、排水側流路７の一部を形成する排水流路形成部３５とを有する。
【００３２】
なお、流路形成部材３における流路形成部材２の各部位と対向する部分を、浴槽側開口形成部４３、洗い場側開口形成部４４、連結流路形成部４５、封水形成部４６、排水流路形成部４７とする。
【００３３】
浴槽側開口形成部３０は、図３に示すように、半円状の部分である。即ち、浴槽開口形成部３０は、流路形成部材３の半円状の浴槽側開口形成部４３が合致されて浴槽側接続口５が形成される。
【００３４】
洗い場側開口形成部３１は、図３に示すように、浴槽側開口形成部３０より開口径及び外径が大きい半円状の部分である。即ち、洗い場側開口形成部３１は、流路形成部材３の半円状の洗い場側開口形成部４４が合致されて洗い場側接続口６が形成される。
【００３５】
連結流路形成部３２は、図４（ａ）、（ｂ）、（ｃ）に示すように、断面形状が半円状であって、開水路状の流路である。即ち、連結流路形成部３２は、流路形成部材３の開水路状の連結流路形成部４５が合致されて連結流路８が形成される。
【００３６】
封水形成部３３は、図４（ｃ）に示すように、断面形状が半円状の円筒壁形成部３６を有し、流路形成部材３の封水形成部４６が有する円筒壁形成部５０が合致されて円筒部１０を形成する部分である。
【００３７】
排水流路形成部３５は、図４（ｄ）に示すように、断面形状が半円状であって、開水路状の流路である。即ち、排水流路形成部３５は、流路形成部材３の開水路状の排水流路形成部４７が合致されて排水側流路７が形成される。
【００３８】
続いて、流路形成部材２、３の接合方法について説明する。
【００３９】
本実施形態では、流路形成部材２、３同士を、公知の振動溶着を用いて接合している。
【００４０】
即ち、流路形成部材２、３は、一方を固定し、他方を一定の周波数で振動させて両者の接合面を摩擦熱によって融解し、振動が終了した後に冷却固化させて溶着している。
【００４１】
なお、本発明においては、振動溶着に限らず、超音波溶着等の摩擦熱を利用した接合方法であれば他の方法であっても構わない。
【００４２】
ところで、このような溶着方法を採用した場合、流路形成部材２、３との境界部に溶融した樹脂が接合面からはみ出してリブ状のバリ１８を形成する。即ち、図２に示すように、バリ１８は、主に複合部材４の外側であって、流路に沿って形成される。通常、このようなバリ１８は、外観を損なうものとされているため、除去される。
【００４３】
一方、複合部材４を浴室の床下に固定する場合、浴槽側接続口５及び洗い場側接続口６を浴槽の排水用開口２７や洗い場の排水用開口２８の位置に一致させてから固定しなければならない。
【００４４】
そこで、本実施形態では、溶着によって発生するバリ１８を、複合部材４を浴室の床下に配する際の位置決め手段として利用することとした。
【００４５】
具体的には、浴槽と洗い場における複合部材４が当接し得る位置に、溝部（図示しない）を形成しておき、複合部材４のバリ１８を浴槽と洗い場側の溝部に嵌め込んで、複合部材４の位置決めを行うこととした。これにより、わざわざ複合部材４を加工することなく位置決めを行うことができるため、製造コストを増加させることなく、施工性を向上させることができる。
【００４６】
以上により、本実施形態では、本来、排水配管と主トラップ部材とヘリサートの３部材を別々に成形し、接着剤等で接続して複合部材を形成しなければならなかったところ、その３部材が一体化された流路の流れ方向に沿って２分割された流路形成部材２、３によって複合部材４を形成することができるため、部品点数を減らすことができ、製造コストを減縮することができる。また、摩擦熱を利用した振動溶着によって、流路形成部材２、３同士を接合しているため、短時間（１０秒程度）で接合でき、生産性を向上させることができる。さらに、本実施形態では、接着具合のばらつきが発生し難いため、品質性が高い。
【００４７】
上記実施形態では、洗い場側に封水部１０が位置する構成としたが、本発明はこれに限定されず、例えば、浴槽側に封水部が位置するような構成を備えた複合部材であっても構わない。この場合、浴槽側の封止部に湯水が集まるようにして、浴槽側から排水側流路を介して外部に排水する構成が好ましい。
【００４８】
上記実施形態では、連結流路８の接続流路部２２を直線状にした構成を示したが、本発明はこれに限定されず、例えば、直線状の流路と曲線状の流路が組み合わさった流路部であっても構わない。
【符号の説明】
【００４９】
１    トラップ装置
２、３    流路形成部材
４    複合部材
５    浴槽側接続口
６    洗い場側接続口
７    排水側流路
１０    封水部
【図１】
2012172387.tif 000003
【図２】
2012172387.tif 000004
【図３】
2012172387.tif 000005
【図４】
2012172387.tif 000006